(57)【要約】【課題】従来、港湾・海岸又は河川等に敷設されている消波ブロック・根固めブロックが波浪等の衝撃を受けて散乱した場合の各ブロックの散乱状況等を的確に把握できないと云う問題が生じている。【解決手段】本発明は、  港湾９、河川１等に敷設される消波・根固めブロックに超音波探査用発信機６を内蔵し、且つ、該ブロックから上部に浮遊するように形成された浮力装置７を取付けたことを特徴とする消波・根固めブロックの移動状況探査装置を提供することにより、上記問題を解決した。【選択図】図１
2015140509.tif 000002
【特許請求の範囲】
【請求項１】
港湾、河川等に敷設される消波・根固めブロックに超音波探査用発信機を内蔵し、且つ、該ブロックから上部に浮遊するように形成された浮力装置を取付けたことを特徴とする消波・根固めブロックの移動状況探査装置。
【請求項２】
上記消波・根固めブロックに付設した上記超音波発信機から発射される超音波の周波数は、該ブロックの敷設位置毎に異なる周波数に予め決定されており、該ブロックが散乱したとき、該散乱したブロックの当初の敷設位置を確認できるようにしたことを特徴とする請求項１記載の消波・根固めブロックの移動状況探査装置。
【請求項３】
上記超音波探査用発信機を内蔵した浮力装置は対峙して設置された発泡スチロール等から成る浮体間に該超音波探査用発信機が懸架され、且つ、該双方の浮体の外側面及び該浮体間の空間部の外側面に及んでアクリル等から成る被覆材を囲繞して固定したことを特徴とする請求項１記載の消波・根固めブロックの移動状況探査装置。
【請求項４】
上記超音波探査用発信機を内蔵した浮力装置は、所定長さを有するロープの一端部に取り付けられ、且つ、該ロープの他端部を上記消波・根固めブロックに取り付けたことを特徴とする請求項３記載の消波・根固めブロックの移動状況探査装置。
【請求項５】
上記浮力装置のアクリル等から成る被覆材は、対峙して設置されている浮体間の空間部を囲繞する部分には数個の孔が穿設されて成ることを特徴とする請求項３又は４記載の消波・根固めブロックの移動状況探査装置。
【発明の詳細な説明】
【技術分野】
【０００１】
本発明は、消波・根固めブロックの移動状況探査装置に関するものであり、特に、港湾・漁港・海岸・河川・砂防等に敷設される消波・根固めブロックの移動状況探査装置に関するものである。
【背景技術】
【０００２】
従来、港湾・漁港・海岸には防波堤、港外側には消波ブロックを乱積み及び層積み等にて敷設される消波工及び、消波を目的とした離岸堤工並びに堤防の護岸根固工及び消波工等が知られている。  又、河川及び砂防においては根固め工、水制工及び帯工等が知られており、特に、深掘地区の構造物も施工されている。
【０００３】
上記工法に於いて、敷設される各ブロックは波浪及び流速等の影響を受けて移動し、且つ、散乱して所在不明となる現象が起きる。
そこで、敷設した消波・根固めブロックが散乱して機能不全になっていないか、特に、目視できない場所においては機能維持を把握できない等の問題が生じ、依って、多額の経費を費消して消波ブロック、根固めブロックの機能維持を図っているが、未だ適切な対応策が講じられていない。
【先行技術文献】
【特許文献】
【０００４】
上記港湾・漁港・海岸又は河川等に乱積み等の工法で敷設される消波ブロック又は根固めブロックの散乱状況を的確に把握できるようにするための特許文献は存在しない。
【発明の概要】
【発明が解決しようとする課題】
【０００５】
本発明は、上記従来例の欠陥に鑑み、港湾・海岸又は河川等に敷設されている消波ブロック・根固めブロックが波浪及び流速等の衝撃を受けて散乱した場合の各ブロックの散乱状況等を的確に把握できるようにするために解決せられるべき技術的課題が生じてくるのであり、本発明は、該課題を解決することを目的とする。
【課題を解決するための手段】
【０００６】
本発明は、目的を達成するために提案せられたのであり、請求項１記載の発明は、港湾、河川等に敷設される消波・根固めブロックに超音波探査用発信機を内蔵し、且つ、該ブロックから上部に浮遊するように形成された浮力装置を取付けたことを特徴とする消波・根固めブロックの移動状況探査装置を提供する。
【０００７】
この構成によれば、消波・根固めブロックが波浪及び流速等により散乱してもその散乱位置において、上記ブロックの上部に浮遊している浮体装置に内蔵した超音波探査用発信機が超音波を発信しているので、この発信された超音波は予めボート等に設置している探査装置にて受信し、該ブロックの散乱状態を観測し、位置確認を行う。
【０００８】
請求項２記載の発明は、上記消波・根固めブロックに付設した上記超音波発信機から発射される超音波の周波数は、該ブロックの敷設位置毎に異なる周波数に予め決定されており、該ブロックが散乱したとき、該散乱したブロックの当初の敷設位置を確認できるようにしたことを特徴とする請求項１記載の消波・根固めブロックの移動状況探査装置を提供する。
【０００９】
この構成によれば、当初敷設した消波・根固めブロックには、各敷設位置毎に異なる超音波の周波数が決定されて夫々付設されているので、波浪及び流速等により敷設した各ブロックが散乱したとしても、散乱した夫々のブロックの当初の敷設位置が各ブロックから発射する超音波の周波数を予めボート等に設置している探査装置にて受信することにより確認される。
【００１０】
請求項３記載の発明は、上記超音波探査用発信機を内蔵した浮力装置は対峙して設置された発泡スチロール等から成る浮体間に該超音波探査用発信機が懸架され、且つ、該双方の浮体の外側面及び該浮体間の空間部の外側面に及んでアクリル等から成る被覆材を囲繞して固定したことを特徴とする請求項１記載の消波・根固めブロックの移動状況探査装置を提供する。
【００１１】
この構成によれば、超音波探査用発信機を内蔵した浮力装置は、該超音波探査用発信機が浮体間に懸架され、更に各浮体及び各浮体間が被覆体にて一体的に被覆されているので、超音波探査用発信機を内蔵した浮力装置は消波・根固めブロック上部を浮遊して夫々のブロックの現在地を確認させる。
【００１２】
請求項４記載の発明は、上記超音波探査用発信機を内蔵した浮力装置は、所定長さを有するロープの一端部に取り付けられ、且つ、該ロープの他端部を上記消波・根固めブロックに取り付けたことを特徴とする請求項３記載の消波・根固めブロックの移動状況探査装置を提供する。
【００１３】
この構成によれば、超音波探査用発信機を内蔵した浮力装置は所定長さを有するロープにて消波・根固めブロックに取り付けられているので、該消波・根固めブロック上部に常時浮遊して、該消波・根固めブロックの現在地を確認させる。
【００１４】
請求項５記載の発明は、上記浮力装置のアクリル等から成る被覆材は、対峙して設置されている浮体間の空間部を囲繞する部分には数個の孔が穿設されて成ることを特徴とする請求項３又は４記載の消波・根固めブロックの移動状況探査装置を提供する。
【００１５】
この構成によれば、対峙して設置されている浮体間に懸架された超音波探査用発信機から発射される超音波が、浮体及び浮体間の空間部の周側面を一体的に被覆している被覆体に穿設した複数の孔を介して効率良く該超音波が発射される。
【発明の効果】
【００１６】
港湾・河川等に敷設された消波・根固めブロックは、超音波探査用発信機を内蔵した浮力装置と所定長さを有するロープを介して連繋され、そして、各ブロック上部に浮遊させているので岩石等によって破壊されることなく、且つ、水中構造物によって超音波探査用発信機から発射される超音波が遮断されることもなく、該超音波は探査装置により確実に受信される。
【００１７】
そこで、当初敷設された消波・根固めブロックが波浪及び流速等により散乱したとしても、その散乱位置は該超音波探査用発信機から発射される超音波を受信することにより、該消波・根固めブロックの現在位置を確認することが可能となる。
【００１８】
更に、該超音波探査用発信機から発射される超音波の周波数は、当初敷設される各ブロック毎に異なる周波数が予め決定されているので、上記散乱した各ブロックは夫々当初の敷設位置が確認され、当該個所には他のブロックを補填して、当該位置に敷設した当初の消波工又は根固め工を修復させることができる。
【図面の簡単な説明】
【００１９】
【図１】(ａ)河川に敷設された根固めブロックに超音波探査用発信機を内蔵した浮力装置をロープを介して該ブロック上に浮遊させている状態を示す解説図            (ｂ)他の河川に敷設された根固めブロックに超音波探査用発信機を内蔵した浮力装置をロープを介して該ブロック上に浮遊させている状態を示す解説図
【図２】港湾に敷設された消波ブロックに超音波探査用発信機を内蔵した浮力装置をロープを介して該ブロック上に浮遊させている状態を示す解説図
【図３】超音波探査用発信機を内蔵した浮力装置を示す正面図
【図４】図３の平面図
【図５】図３の左側面図
【図６】図３のＡ−Ａ線断面図
【図７】図３のＢ−Ｂ線断面図
【図８】図３のＣ−Ｃ線断面図
【図９】図３のＤ−Ｄ線断面図
【図１０】図３のＥ−Ｅ線断面図
【発明を実施するための形態】
【００２０】
本発明は、港湾・海岸又は河川等に敷設されている消波ブロック・根固めブロックが波浪及び流速等の衝撃を受けて散乱した場合の各ブロックの散乱状況等を的確に把握できるようにするための技術的課題を、港湾、河川等に敷設される消波・根固めブロックに超音波探査用発信機を内蔵し、且つ、該ブロックから上部に浮遊するように形成された浮力装置を取付けたことを特徴とする消波・根固めブロックの移動状況探査装置を提供することにより解決した。
【実施例】
【００２１】
以下、本発明の好適な実施例を図１(ａ)(ｂ)乃至図１０に従って詳述する。
図１(ａ)は河川１に根固めブロック２、２・・・を敷設されている状況を示す。該河川１は、堤防３の法面３ａが高水護岸工が施工されており、該法面３ａに続く高水敷４の端部に低水護岸５が施工されている。そして、該低水護岸５から河川１の水域方向に向かって根固めブロック２、２・・・が敷設されている。該敷設状況は乱積み方式にて敷設されているが、之に限定せられるべきではない。  
【００２２】
而して、図１(ａ)に於いては、該根固めブロック２、２・・・のうち、最も洗掘され、流れ易い個所である最先端部分に敷設された根固めブロック２に超音波探査用発信機６を内蔵した浮力装置７が所定長さ（河川１の水深等を加味して適宜設定される）を有するロープ８を介して連結されている。従って、該探査用発信機６は常時根固めブロック２、２・・・の上部に位置して浮遊しており、他のブロック２、２・・・その他の河川等を流れる岩石等により該超音波探査用発信機６から発射された超音波が遮断されることはない。勿論、該超音波探査用発信機６の取付個所及び位置は之に限定せられるべきではない。
【００２３】
又、図１(ｂ)は、同河川１における他の実施例を示す。同図に於いて、堤防３の法面３ａに続く高水準敷４の先端部から河川１の水域方向に向かって、根固めブロック２、２・・・が敷設されており、該根固めブロック２、２・・・にロープ８を介して前記超音波探査用発信機６を内蔵した浮力装置７が連結されて、該浮力装置７が該根固めブロック２、２・・・の上部に常時浮遊するように構成されており、斯くして、図１(ａ)に示す超音波探査用発信機６の奏する作用効果と全く同一の作用効果を奏することができる。              
【００２４】
次に図２について説明する。図２は港湾９に消波ブロック１０、１０・・・が敷設されている状態を示す。同図に於いて、１１は防波堤を示す。該防波堤１１は基礎捨石１２、１２・・・上に敷設され、そして該防波堤１１の前後に根固め用ブロック１３、１３・・・及び之に続いて被覆ブロック１４、１４・・・が敷設されている。
【００２５】
更に、該防波堤１１の海洋側には多数の消波ブロック１０、１０・・・が敷設されており、そして、同図においては最先端の消波ブロック１０に所定長さ（水深、海流等を考慮して該所定長さは適切に決定される）を有するロープ８を介して超音波探査用発信機６を内蔵した浮力装置７が連繋されている。依って、該超音波探査用発信機６は常時超音波を発射し、水中構造物等により遮断されることはない。勿論、該超音波探査用発信機６を内蔵した浮力装置７の個数、取付位置は之に限定されることはない。
【００２６】
そこで、前記超音波探査用発信機６を内蔵した浮力装置７について図３乃至図１０に従って詳細に説明する。先ず、図３は浮力装置の正面図であり、図４以下は順次、図３の平面図、左側面図、Ａ−Ａ線断面図、Ｂ−Ｂ線断面図、Ｃ−Ｃ線断面図、Ｄ−Ｄ線断面図、Ｅ−Ｅ線断面図である。
【００２７】
上記各図に示す、超音波探査用発信機６は図１０に示す如く、その両端部を左右に対峙して設置されている発泡スチロール等から成る浮体１５、１５に、夫々懸架されている。
【００２８】
更に、前記左右の浮体１５、１５間には空間部１６が設けられており、該超音波探査用発信機６は該空間部１６を跨いで設けられている。又、前記浮体１５、１５の外周面及び、該浮体１５、１５間の空間部１６の外周面はアクリル等から成る被覆体１７にて一体的に囲繞され、そして、該被覆体１７によって前記浮体１５、１５及び該浮体１５、１５間に懸架されている超音波探査用発信機６が強固に保護され、不慮損壊するようなことがないように構成されている。即ち、該被覆体１７によって、河川に於いては流下物体の衝撃力、海岸・港湾に於いては波浪による圧力から超音波探査用発信機６を保護している。
【００２９】
更に又、前記浮体１５、１５間の空間部１６部分を囲繞している前記被覆体１７にはその周囲に小孔１８、１８・・・が穿設されている。
該小孔１８の形状は特に限定されるべきではなく、スリットであってもよいが、同一円周方向に穿設される小孔１８、１８・・・は、等間隔に穿設されるを可とする。斯くして、超音波探査用発信機６から発射される超音波が該被覆体１７によって遮蔽されることはない。
【００３０】
斯くの如く、浮力装置７を構成することにより、超音波探査用発信機６から発射される超音波は極めて効率良く発射され、水上のボート（図示せず）等に設置されている探査装置（図示せず）による受信が容易となり、該超音波探査用発信機６を取付けた消波ブロック１０又は根固めブロック１３の現在地を的確に確認することができる。
【００３１】
又、該超音波探査用発信機６を内蔵した浮力装置７は、所定長さを有するロープ８によって前記消波ブロック１０又は根固めブロック２に適宜の取付手段を用いて連繋されている。而して、該ロープ８は水深又は波浪等を考慮し、且つ、該浮力装置７が該消波ブロック１０又は根固めブロック２の上方位置にあって、水中構造物による探査用の超音波が遮断される弊害が生じないように水中構造物から充分離れた位置に常時浮遊している状態を維持できる長さに設定されることは当然である。  
【００３２】
又、該超音波探査用発信機６から発射される超音波の周波数は、河川１、港湾９等に敷設されて消波ブロック１０又は根固めブロック２毎に異なる周波数として設定しておくことにより、敷設された消波ブロック１０又は根固めブロック２が波浪等により流されて散乱したとしても、夫々の消波・根固めブロックの当初の敷設位置が該特定の超音波の周波数を探査することにより確認できる。斯てして、当該消波工又は根固め工の補修工事も容易となる。
【産業上の利用可能性】
【００３３】
本発明は、消波工、又は根固め工等の経年変化等を追跡し乍ら、実態と同時に原因推定の検討分野にも利用できる。
【符号の説明】
【００３４】
１：河川  
２：根固めブロック  
３：堤防  
３ａ：法面
４：高水敷  
５：低水護岸
６：超音波探査用発信機  
７：浮力装置  
８：ロープ  
９：港湾  
１０：消波ブロック
１１：防波堤
１２：基礎捨石  
１３：根固め用ブロック  
１４：被覆ブロック  １５：浮体
１６：空間部
１７：被覆体  
１８：小孔
【図１】
2015140509.tif 000003
【図２】
2015140509.tif 000004
【図３】
2015140509.tif 000005
【図４】
2015140509.tif 000006
【図５】
2015140509.tif 000007
【図６】
2015140509.tif 000008
【図７】
2015140509.tif 000009
【図８】
2015140509.tif 000010
【図９】
2015140509.tif 000011
【図１０】
2015140509.tif 000012